(57)【特許請求の範囲】
【請求項１】
エンドレス状の帯鋸刃を掛回する駆動ホイールと従動ホイールとを備え、かつ前記駆動ホイールの上方位置に前記従動ホイールを上下動可能に備えた竪型帯鋸盤であって、前記従動ホイールに帯鋸刃を掛回した状態において、前記帯鋸刃の下部側を前記駆動ホイールに掛回すとき、帯鋸刃の下部側の背部を、前記駆動ホイールに備えた鍔部へ案内するために、前記鍔部側が上方向へ傾斜したガイド部を備えた帯鋸刃ガイド部材を、前記駆動ホイールの下側に備えていることを特徴とする竪型帯鋸盤。
【請求項２】
請求項１に記載の竪型帯鋸盤において、前記傾斜したガイド部よりも上方位置において、前記帯鋸刃を前記駆動ホイールの外周面へ案内する別個の帯鋸刃ガイド部材を備えていることを特徴とする竪型帯鋸盤。
【請求項３】
請求項２に記載の竪型帯鋸盤において、前記別個の帯鋸刃ガイド部材は、駆動ホイールとの間に帯鋸刃を挟み込んだ状態に案内する挟み込みガイド部材又は／及び駆動ホイールにおける鍔部の鋸背支持面とほぼ同一平面の鋸背ガイド面を備えた鋸背ガイド部材を備えていることを特徴とする竪型帯鋸盤。
【請求項４】
請求項１，２又は３に記載の竪型帯鋸盤において、従動ホイールに掛回した帯鋸刃の、前記従動ホイールの一側方向への膨みを抑制するための膨み抑制手段を備えていることを特徴とする竪型帯鋸盤。
【発明の詳細な説明】
【技術分野】
【０００１】
本発明は、竪型帯鋸盤に係り、さらに詳細には、帯鋸刃の着脱交換時に、帯鋸刃の装着を容易に行うことのできる竪型帯鋸盤に関する。
【背景技術】
【０００２】
竪型帯鋸盤は、帯鋸盤のフレーム本体の下部側に駆動ホイールを備え、上部側に従動ホイールを備えた構成である。そして、前記駆動ホイールと従動ホイールにエンドレス状の帯鋸刃が掛回してある。上記構成のごとき竪型帯鋸盤において、帯鋸刃の着脱交換を行う場合、鋸歯の歯先が作業者側を指向した状態において着脱交換を行うものであるから、危険を伴うものである。
【０００３】
帯鋸刃における鋸歯が危険であることは認識しているので、上記鋸歯による負傷には注意するものである。しかし、エンドレス状の帯鋸刃を従動ホイール及び駆動ホイールに掛回すように装着するときには、帯鋸刃の下部側が駆動ホイールの下部側外周から下方へ離れるものであり、また、帯鋸刃がエンドレス状の弾性部材であることにより、従動ホイール及び駆動ホイールから離れるように膨れる傾向にあり、駆動ホイール、従動ホイールに対して帯鋸刃を掛回すことは仲々難しいものである。
【０００４】
そして、従動ホイールと駆動ホイールとに帯鋸刃を掛回した後に、帯鋸刃に張力を付与するために、従動ホイールを上方向へ移動しようとするときには、帯鋸刃が従動ホイールの鍔部に乗り上げたり、従動ホイールから脱落することがある。そこで、従動ホイールを上方向へ移動しようとするときにも、帯鋸刃を手で支える必要があり、ときとして、従動ホイールと帯鋸刃との間に指を挟み込んでしまう危険がある。
【０００５】
そこで、竪型帯鋸盤において帯鋸刃の着脱交換を自動的に行うことを、従来から提案されている（例えば特許文献１，２参照）。
【先行技術文献】
【特許文献】
【０００６】
【特許文献１】特開平３−２５１３１０号公報
【特許文献２】特開平４−２５３１６号公報
【発明の概要】
【発明が解決しようとする課題】
【０００７】
前記特許文献１，２に記載されているように、帯鋸刃の着脱交換を自動的に行う構成においては、装置全体の構成が複雑化し、かつ全体的構成が大型化するという新たな問題がある。
【課題を解決するための手段】
【０００８】
本発明は、前述したごとき従来の問題に鑑みてなされたもので、エンドレス状の帯鋸刃を掛回する駆動ホイールと従動ホイールとを備え、かつ前記駆動ホイールの上方位置に前記従動ホイールを上下動可能に備えた竪型帯鋸盤であって、前記従動ホイールに帯鋸刃を掛回した状態において、前記帯鋸刃の下部側を前記駆動ホイールに掛回すとき、帯鋸刃の下部側の背部を、前記駆動ホイールに備えた鍔部へ案内するために、前記鍔部側が上方向へ傾斜したガイド部を備えた帯鋸刃ガイド部材を、前記駆動ホイールの下側に備えていることを特徴とするものである。
【０００９】
また、前記竪型帯鋸盤において、前記傾斜したガイド部よりも上方位置において、前記帯鋸刃を前記駆動ホイールの外周面へ案内する別個の帯鋸刃ガイド部材を備えていることを特徴とするものである。
【００１０】
また、前記竪型帯鋸盤において、前記別個の帯鋸刃ガイド部材は、駆動ホイールとの間に帯鋸刃を挟み込んだ状態に案内する挟み込みガイド部材又は／及び駆動ホイールにおける鍔部の鋸背支持面とほぼ同一平面の鋸背ガイド面を備えた鋸背ガイド部材を備えていることを特徴とするものである。
【００１１】
また、前記竪型帯鋸盤において、従動ホイールに掛回した帯鋸刃の、前記従動ホイールの一側方向への膨みを抑制するための膨み抑制手段を備えていることを特徴とするものである。
【発明の効果】
【００１２】
本発明によれば、従動ホイールに帯鋸刃を掛回した後に、従動ホイールを上方向へ移動して帯鋸刃を上方向へ移動すると共に張力を付与するとき、帯鋸刃の下部側は帯鋸刃ガイド部材によって駆動ホイールに備えた鍔部側へ案内されることとなる。すなわち、本発明によれば、従動ホイールに帯鋸刃の上部を掛回した状態において、従動ホイールを上方向へ移動して張力を付与しようとするとき、帯鋸刃を手で支える必要がなく、前述したごとき従来の問題を解消し得るものである。
【図面の簡単な説明】
【００１３】
【図１】本発明の実施形態に係る竪型帯鋸盤の全体的構成を概念的、概略的に示した正面説明図である。
【図２】同上の主要部のみを示した側断面説明図である。
【図３】同上の主要部のみを示した平面説明図である。
【図４】駆動ホイールと挟み込みガイド部材及び鋸背ガイド部材との関係を示した平面説明図である。
【発明を実施するための形態】
【００１４】
図１に、概念的、概略的に示すように、本発明の実施形態に係る竪型帯鋸盤１は、箱状のフレーム本体３を備えており、このフレーム本体３の下部には駆動ホイール５を回転自在に内装した下部ホイールハウジング７が一体的に備えられている。そして、前記フレーム本体３の上部には、従動ホイール９を回転自在に内装した上部ホイールハウジング１１が一体的に備えられている。すなわち、竪型帯鋸盤１の全体的構成は、フレーム本体３の一側に上下のホイールハウジング１１，７を一体的に備えることによって、一側方（図１において右側方）が開口したコ字形状に構成してある。
【００１５】
そして、ワークテーブル（図示省略）のテーブル面１３（図にはラインで示す）に載置したワーク（図示省略）の切断加工を行うために、前記駆動ホイール５、従動ホイール９にはエンドレス状の帯鋸刃１５が掛回してある。また、前記竪型帯鋸盤１には、一般的な竪型帯鋸盤と同様に、帯鋸刃１５がワークを切断する走行部側を案内支持するための上下の鋸刃ガイド１７Ｕ，１７Ｌが備えられている。
【００１６】
前記駆動ホイール５は、前記フレーム本体３内に内装した駆動モータ１９（図２参照）によって回転される回転軸２１に一体的に取付けてある。そして、当該駆動ホイール５の上方位置に備えた前記従動ホイール９は、前記上部ホイールハウジング１１に上下動可能に備えた上下スライダ２３に水平に備えた支持軸２５に回転自在に支持されている。前記上下スライダ２３を上下動するために、前記上部ホイールハウジング１１には、例えば流体圧シリンダなどのごとき上下動用アクチュエータ２７が備えられている。そして、この上下動用アクチュエータ２７に上下動可能に備えたピストンロッドなどのごとき上下作動子２９が前記上下スライダ２３に連結してある。
【００１７】
したがって、前記上下動用アクチュエータ２７を作動することによって前記従動ホイール９を上下動することができる。よって、従動ホイール９と駆動ホイール５とに帯鋸刃１５を掛回した後、前記上下動用アクチュエータ２７によって従動ホイール９を上方向へ移動することにより、帯鋸刃１５に張力を付与することができる。逆に、従動ホイール９を下方向へ移動することにより、帯鋸刃１５の張力を緩めることができ、従動ホイール９、駆動ホイール５に対して帯鋸刃１５の着脱交換を行うことができるものである。
【００１８】
前記駆動ホイール５及び従動ホイール９はほぼ同径であって、帯鋸刃１５を掛回する外周面には周方向の周溝３１が形成してある。そして、両ホイール５，９には掛回した帯鋸刃１５の背部を支持する鍔部３３が形成してある。なお、この種の駆動ホイール５、従動ホイール９の構成は周知であるから、駆動ホイール５、従動ホイール９についてのより詳細な説明は省略する。
【００１９】
前記駆動ホイール５に対して帯鋸刃１５の着脱交換を行うために、前記下部ホイールハウジング７において前記駆動ホイール５の前側（図２において右側）には、帯鋸刃１５を着脱交換するための比較的大きな着脱空間３５が形成してある。そして、前記着脱空間３５の下部には、前記下部ホイールハウジング７の一部に取付けた第１の帯鋸刃ガイド部材３７が備えられている。
【００２０】
上記帯鋸刃ガイド部材３７は、前記下部ホイールハウジング７に取付けられて前記着脱空間３５内に垂直に備えられた支持部材３９に水平に片持式に取付けてあり、かつ前記駆動ホイール５の軸心を通る垂直平面内に配置してある。そして、前記帯鋸刃ガイド部材３７の先端部には、前記駆動ホイール５の外周面に近接し、かつ駆動ホイール５における鍔部３３が帯鋸刃１５の背部を支持する鋸背支持面４１（図４参照）方向へ指向して傾斜したガイド部４３が備えられている。換言すれば、ガイド部４３は、駆動ホイール５に帯鋸刃１５を掛けるときに、帯鋸刃１５の背部（歯先の反対側）を前記鍔部３３の鋸背支持面４１へ案内すべく傾斜してあり、その先端は、前記鍔部３３の外周面よりも内側（内径側）に位置してある。
【００２１】
したがって、従動ホイール９に対して帯鋸刃１５の上部側を掛回し、帯鋸刃１５の下部側を駆動ホイール５の下側へ位置させた後、従動ホイール９を上方向へ移動して、帯鋸刃１５の下部側を駆動ホイール５に掛回しようとするとき、帯鋸刃１５の下部側は、前記ガイド部４３に接触して、駆動ホイール５の鍔部３３側へ案内されるものである。この際、ガイド部４３の先端が鍔部３３の外周面より内側に位置してあるので、帯鋸刃１５が鍔部３３の外周面に乗り上げるようなことはないものである。
【００２２】
さらに、前記駆動ホイール５の周囲で前記帯鋸刃ガイド部材３７よりも上方位置には、帯鋸刃１５を駆動ホイール５の外周面へ案内する別個の帯鋸刃ガイド部材が備えられている。より詳細には、図１に示すように、前記駆動ホイール５の軸心を通る水平面４５とほぼ同一高さ位置（図１には前記水平面４５より僅かに下側の位置）で、前記鋸刃ガイド１７Ｌ側の反対側（図１において左側）には、駆動ホイール５の周面に近接して第２の鋸刃ガイド部材４７が備えられている。
【００２３】
この第２の鋸刃ガイド部材４７は、駆動ホイール５との間に帯鋸刃１５を挟み込んだ状態に案内する挟み込みガイド部材をなすものであって、前記下部ホイールハウジング７の一部に取付けたブラケット４９に垂直にかつ回転自在に装着された竪ローラによって構成してある。上記第２の鋸刃ガイド部材４７は、図４に示すように、駆動ホイール５の外周面との間に帯鋸刃１５を移動自在に挟み込むように、駆動ホイール５の外周面に近接してある。そして、前記第２の鋸刃ガイド部材４７は竪ローラから構成してあるから、前記駆動ホイール５の外周面と第２の鋸刃ガイド部材４７との間の間隙は、前側（図４において下側）が広くなるように開いた状態にある。
【００２４】
したがって、駆動ホイール５に帯鋸刃１５の掛回しを行なおうとするとき、前記駆動ホイール５の外周面と第２の鋸刃ガイド部材４７との間への帯鋸刃１５の背部の挿入を容易に行い得るものである。そして、帯鋸刃１５は、鋸刃ガイド部材４７に案内されて、駆動ホイール５の外周面に接触するように案内されると共に、帯鋸刃５の背部が、駆動ホイール５における鍔部３３の鋸背支持面４１に当接するように案内されるものである。よって、駆動ホイール５に対する帯鋸刃１５の掛回しを容易に行い得るものである。なお、第２の鋸刃ガイド部材４７は、竪ローラに限ることなく、例えば、駆動ホイール５の外周面との間の間隙における前側が広くなるように傾斜したガイド面を備えた構成のガイドブロックとすることも可能である。
【００２５】
また、前記駆動ホイール５の軸心を間にして、前記第２の鋸刃ガイド部材４７の反対側には、第３の鋸刃ガイド部材５１が備えられている。より詳細には、図１に示すように、前記鋸刃ガイド１７Ｌの下方位置で前記水平面４５の位置には、前記駆動ホイール５における鍔部３３の外周面に近接して第３の鋸刃ガイド部材５１が備えられている。この鋸刃ガイド部材５１は前記下部ホイールハウジング７の１部に一体的に取付けてあり、この鋸刃ガイド部材５と前記鍔部３３の外周面との間の間隙は、図４に示すように、帯鋸刃１５が入り込むことがないように、帯鋸刃１５の厚さよりも小さな間隙に形成してある。前記鋸刃ガイド部材５１は、駆動ホイール５に帯鋸刃１５を掛回するときに、帯鋸刃１５の背部を支持する鋸背ガイド部材をなすものであって、その前面５１Ｆは前記駆動ホイール５における鍔部３３の鋸背支持面４１とほぼ同一平面の鋸背ガイド面に形成してある。
【００２６】
したがって、駆動ホイール５に帯鋸刃１５を掛回するとき、緩い状態にある帯鋸刃１５の背部は鋸刃ガイド部材（鋸背ガイド部材）５１における前面（鋸背ガイド面）５１Ｆに当接支持された状態にある。そして、帯鋸刃１５を掛回した従動ホイール９を上方向へ移動して帯鋸刃１５に張力を付与するときに、帯鋸刃１５の背部は鋸刃ガイド部材５１の鋸背ガイド面（前面）５１Ｆに当接案内されて、駆動ホイール５における鍔部３３の鋸背支持面４１に当接支持されることになる。よって、駆動ホイール５に帯鋸刃１５を掛回するとき、鍔部３３に乗り上げることなく帯鋸刃１５を掛回することができるものである。
【００２７】
前記従動ホイール９を内装した前記上部ホイールハウジング１１の前面には、ヒンジ部材５３を介して前面カバー５５が開閉自在に備えられている。そして、前面カバー５５には従動ホイール９に帯鋸刃１５が掛回してあることを確認する確認窓５７が備えられていると共に、前面カバー５５が閉じられていることを確認するためのリミットスイッチなどのごとき確認スイッチ５９が備えられている。前記従動ホイール９に帯鋸刃１５を掛回したときに、帯鋸刃１５の前記鋸刃ガイド１７Ｕの反対側（図１において左側）の部分が膨らんで従動ホイール９から大きく離れることを規制するために、前記従動ホイール９を内装した前記上部ホイールハウジング１１における内側一側面１１Ｆは、図３に示すように、駆動ホイール９の外周面に近接して備えられている。
【００２８】
以上のごとき構成において、竪型帯鋸盤１に対して帯鋸刃１５を装着するには、先ず前面カバー５５を開くと共に、フレーム３の前面に備えた操作盤６１を操作し、上下動用アクチュエータ２７を作動して、従動ホイール９を下降する。そして、エンドレス状の帯鋸刃１５における上部側を従動ホイール９に掛回すると共に、帯鋸刃１５を上下の鋸刃ガイド１７Ｕ，１７Ｌによって挟持案内すべく鋸刃ガイド１７Ｕ，１７Ｌにセットする。
【００２９】
次に、緩んだ状態にある帯鋸刃１５の下部側を駆動ホイール５に掛回すべく駆動ホイール５の下側に配置する。そして、前面カバー５５を閉じ、確認窓５７から従動ホイール９に帯鋸刃１５が掛っていることを確認し、操作盤６１を操作して従動ホイール９を上昇することにより、従動ホイール９と駆動ホイール５とに掛回した帯鋸刃１５に張力を付与することができるものである。
【００３０】
前述のごとく、従動ホイール９を上昇するとき、従動ホイール９に掛回した帯鋸刃１５の上部側の一側部は鋸刃ガイド１７Ｕに挟持されており、かつ当該鋸刃ガイド１７Ｕと反対側の他側部は、上記ホイールハウジング１１の内側一側面１１Ｆによって膨みを規制された状態にあるので、従動ホイール９から外れることはないものである。
【００３１】
そして、下部の駆動ホイール５に対しては、帯鋸刃１５の下部側の一部は挟み込みガイド部材４７によって、駆動ホイール５の外周面との間に挟み込まれており、当該挟み込みガイド部材４７の反対側においては、鋸背ガイド部材５１によって帯鋸刃１５の背部が駆動ホイール５における鍔部３３の鋸背支持面４１と同一平面に当接支持されている。そして、駆動ホイール５の下部側においては、帯鋸刃ガイド部材３７の先端部に備えられたガイド部４３によって前記鋸背支持面４１側へ案内されることになる。したがって、従動ホイール９が上昇するときに、帯鋸刃１５は駆動ホイール５の鍔部３３に乗り上げることなく掛回されるものである。
【００３２】
以上のごとき説明より理解されるように、上下の従動ホイール９、駆動ホイール５に帯鋸刃１５を掛回するときには、両ホイール９，５の一側方においては、帯鋸刃１５は上下の鋸刃ガイド１７Ｕ，１７Ｌによって挟持案内されており、かつ従動ホイール９の他側方においては、上部ホイールハウジング１１の内側一側面１１Ｆによって膨みを規制された状態にある。そして、駆動ホイール５の他側方においては、挟み込みガイド部材４７によって駆動ホイール５の外周面との間に挟み込まれた状態にある。
【００３３】
したがって、操作盤６１を操作して従動ホイール９を上昇するときには、作業者が帯鋸刃１５を支える必要がなく、前面カバー５５を閉じた状態において従動ホイール９を上昇することができるものである。よって、竪型帯鋸盤１における従動ホイール９、駆動ホイール５に対する帯鋸刃１５の掛回し作業を安全に行うことができるものである。
【００３４】
なお、本発明は前述したごとき実施形態に限ることなく、適宜の変更を行うことにより、その他の形態でもって実施可能なものである。例えば、上部ホイールハウジング１１における内側一側面１１Ｆを、従動ホイール９に近接して配置したガイド板に代えて、前記内側一側面１１Ｆと同様の機能を保持させることも可能である。また、帯鋸刃ガイド部材３７、挟み込みガイド部材４７及び鋸背ガイド部材５１を一体的に連結した構成とすることも可能である。すなわち、例えば半円弧状の部材の一端側に挟み込みガイド部材４７と同一機能を奏する構成を備え、中央部に帯鋸刃ガイド部材３７と同一機能を奏する構成を備える。そして、他端側に、鋸背ガイド部材５１と同一機能を奏する構成を備えた構成とすることも可能なものである。
【符号の説明】
【００３５】
１  竪型帯鋸盤
３  フレーム本体
５  駆動ホイール
７  下部ホイールハウジング
９  従動ホイール
１１  上部ホイールハウジング
１１Ｆ  内側一側面
１５  帯鋸刃
１７Ｕ，１７Ｌ  上下の鋸刃ガイド
２５  支持軸
２７  上下動用アクチュエータ
３３  鍔部
３７  第１の帯鋸刃ガイド部材
４１  鋸背支持面
４３  ガイド部
４７  第２の鋸刃ガイド部材（挟み込みガイド部材）
５１  第３の鋸刃ガイド部材（鋸背ガイド部材）
５１Ｆ  前面（鋸背ガイド面）
５５  前面カバー
５７  確認窓
６１  操作盤
【図１】
0005596486.tif 000002
【図２】
0005596486.tif 000003
【図３】
0005596486.tif 000004
【図４】
0005596486.tif 000005